(57)【要約】【課題】電子デバイスの地理的位置を判定する方法および装置を提供すること。【解決手段】電子デバイスの位置でのラジオ周波数の範囲が、ラジオ受信器（１１）によってスキャンされる。前記スキャンされた周波数内の地理的に束縛された送信システム（３）の特性（ＣＨ）が、制御ユニット（２１）によって識別される。突合せユニット（５）が、これらの特性（ＣＨ）を、異なる地理的区域の地理的に束縛された送信システムの保管された特性（ＳＣＨ）と比較する。前記電子デバイス（１）の地理的位置（ＬＤ）は、前記突合せ処理の結果に依存する。
2005535159.tif 000002
【特許請求の範囲】
【請求項１】
電子デバイスであって、
ラジオ受信器（１１）と、
データをリモート・デバイスに送信するインターフェース（１３）と、
前記ラジオ受信器（１１）に周波数の範囲をスキャンさせる制御ユニット（１２）と
を含み、前記制御ユニット（１２）が、
前記電子デバイス（１）の地理的位置を判定するために、前記スキャンされた周波数内の地理的に束縛された送信システム（３）の特性（ＣＨ）を識別し、
前記インターフェース（１３）に前記特性（ＣＨ）またはその派生物（ＤＣＨ）を供給する
ように設計された、電子デバイス。
【請求項２】
前記地理的に束縛された送信システム（３）が、放送する局を含む、請求項１に記載の電子デバイス。
【請求項３】
前記地理的に束縛された送信システム（３）が、データ通信システムまたは音声通信システムを含む、請求項１または２に記載の電子デバイス。
【請求項４】
前記特性（ＣＨ）が、占有される周波数の分布を含む、請求項１ないし３のいずれか一項に記載の電子デバイス。
【請求項５】
前記特性（ＣＨ）が、占有される周波数に関連する振幅データを含む、請求項１ないし４のいずれか一項に記載の電子デバイス。
【請求項６】
前記特性（ＣＨ）が、占有される周波数に付加された識別コードを含む、請求項１ないしの５いずれか一項に記載の電子デバイス。
【請求項７】
異なる地理的区域の地理的に束縛された送信システムの特性（ＳＣＨ）を含むデータベース（４）を含む、請求項１ないし６のいずれか一項に記載の電子デバイス。
【請求項８】
前記制御ユニット（１２）が、前記識別された特性（ＣＨ）を保管された特性（ＳＣＨ）と突き合わせる突合せユニット（５）を含む、請求項７に記載の電子デバイス。
【請求項９】
前記制御ユニット（１２）が、区域コードを供給することを可能にされ、前記区域コードが、前記識別された特性（ＣＨ）に対応する前記保管された特性（ＳＣＨ）の１つを示す、請求項８に記載の電子デバイス。
【請求項１０】
ポータブル・デバイスである、請求項１ないし９のいずれか一項に記載の電子デバイス。
【請求項１１】
電子デバイス（１）の周波数スキャニング・ラジオ受信器（１１）からの地理的に束縛された送信システム（３）の特性（ＣＨ）を受信する受信器（２２）と、
異なる地理的区域の地理的に束縛された送信システムの特性（ＳＣＨ）を含むデータベース（４）と、
前記電子デバイスの地理的位置を判定するために、前記受信された特性（ＣＨ）を保管された特性（ＳＣＨ）と突き合わせる突合せユニット（５）と
を含む、サーバ・コンピュータ。
【請求項１２】
前記突合せ処理の結果に依存して前記電子デバイスに要求を送信することを可能にされた制御ユニット（２１）を含み、前記要求が、前記電子デバイスのラジオ受信器（１１）に追加範囲の周波数をスキャンさせる、請求項１１に記載のサーバ・コンピュータ。
【請求項１３】
前記判定された地理的位置（ＬＤ）に依存してサーバ・データへのアクセスを与えるアクセス許可ユニット（２３）を含む、請求項１１または１２に記載のサーバ・コンピュータ。
【請求項１４】
前記判定された地理的位置（ＬＤ）に依存してデータを選択または計算するための選択ユニット（２４）を含む、請求項１１ないし１３のいずれか一項に記載のサーバ・コンピュータ。
【請求項１５】
電子デバイス（１）の周波数スキャニング・ラジオ受信器（１１）を使用して、地理的に束縛された送信システム（３）の特性（ＣＨ）を受信することと、
前記受信された特性（ＣＨ）を異なる地理的区域の地理的に束縛された送信システムの保管された特性（ＳＣＨ）と突き合わせることと、
前記突合せ処理の結果に依存して前記電子デバイス（１）の地理的位置（ＬＤ）を判定することと
を含む、電子デバイスの地理的位置を判定する方法。
【請求項１６】
前記電子デバイス（１）が、前記電子デバイスの地理的位置の判定を洗練するために、さらなる周波数スキャンを要求される、請求項１５に記載の方法。
【請求項１７】
電子デバイスの位置を判定するデータを供給する方法であって、
前記電子デバイスの位置でラジオ周波数の範囲をスキャンすることと、
前記スキャンされた周波数内で地理的に束縛された送信システム（３）の特性（ＣＨ）を識別することと、
位置判定のために前記特性（ＣＨ）またはその派生物（ＤＣＨ）を供給することと
を含む方法。
【請求項１８】
放送する局の特性（ＣＨ）が識別される、請求項１７に記載の方法。
【請求項１９】
データ通信システムまたは音声通信システムの特性（ＣＨ）が識別される、請求項１７に記載の方法。
【請求項２０】
コンピュータに、
電子デバイス（１）の周波数スキャニング・ラジオ受信器（１１）を使用して、地理的に束縛された送信システム（３）の特性（ＣＨ）を受信する機能と、
前記受信された特性（ＣＨ）を異なる地理的区域の地理的に束縛された送信システム（３）の保管された特性（ＳＣＨ）と突き合わせる機能と、
前記突合せ処理の結果に依存して前記電子デバイスの地理的位置（ＬＤ）を判定する機能と
を実現させるプログラム。
【請求項２１】
コンピュータに、
ラジオ周波数の範囲をスキャンする機能と、
前記スキャンされた周波数内で地理的に束縛された送信システム（３）の特性（ＣＨ）を識別する機能と、
位置判定のために前記特性（ＣＨ）またはその派生物（ＤＣＨ）を供給する機能と
を実現させるプログラム。
【発明の詳細な説明】
【技術分野】
【０００１】
本発明は、電子デバイスの地理的位置を判定する電子デバイス、サーバ・コンピュータ、方法、電子デバイスの位置を判定するデータを供給する方法、および対応するコンピュータ・プログラムに関する。
【背景技術】
【０００２】
リモート・データ・アクセスおよび特にサーバ／クライアント環境を可能にする電子システムは、結線ローカル・エリア・ネットワーク、インターネット、または無線ネットワークなどの転送媒体による無制限の全世界のデータ転送をサポートする。
【０００３】
しかし、一般的な全世界のデータの配信を制限する要件が存在し、国の法律が、国境の外部からの機密データへの制限されたアクセスを要求する場合がある。具体的に言うと、銀行法が、ある顧客データへのアクセスがその銀行の母国の境界内からのみ許可されることを要求する場合がある。
【０００４】
著作権および知的財産権全般が、機密データへの無制限のアクセスが禁止されなければならないもう１つの分野である。著作権法および知的財産権法は、国によって異なるので、著作権条件またはＩＰ権利へのアクセスは、それ相応に変化し、したがって、ある国で譲渡された特許または著作権が、別の国では譲渡されない場合がある。したがって、著作権または他のＩＰ権を表すデータは、データの無制限の全世界での配信を否定する機密アクセス許可の対象になる場合がある。
【０００５】
セルラ通信網に、通常は、複数の基地局が含まれ、各基地局は、セル電話機の通信網へのアクセスを提供するために、セルと称するある地域をカバーする。ＳＩＭ（subscriber identity module）カードを有する登録されたセル電話機が、呼を要求したならば、対応する基地局は、この呼を処理し、さらなるステップを実行する。ＷＯ  ９９／３３３０９  Ａ１、ＷＯ  ０１／４５４４４  Ａ１および米国特許第５６７８６６９号に記載されているように、呼要求を受け取る基地局の知識を、海賊行為およびネットワーク詐欺を検出するのに使用することができる。さらに、ＷＯ  ９９／６０８００  Ａ１に、セルラ通信網で加入者サービスを管理する方法が開示されており、ＥＰ  １  １７３  ０３７  Ａ２に、異なる機能を有する複数のＳＩＭカードをサポートする位置登録方法が示されている。
【０００６】
これらのシステムおよび方法は、ある通信網への登録の対象であるセル電話機、およびあるサービス・プロバイダの加入者であるこのセル電話機のユーザに関してのみ機能する。一般に、そのような方法を介して収集できる位置関連データは、通常は、その特定の網の外部で使用可能にされない。さらに、そのようなデータは、通常は、ネットワーク・オペレータ以外の当事者によって信頼されない。
【特許文献１】ＷＯ  ９９／３３３０９  Ａ１
【特許文献２】ＷＯ  ０１／４５４４４  Ａ１
【特許文献３】米国特許第５６７８６６９号
【特許文献４】ＷＯ  ９９／６０８００  Ａ１
【特許文献５】ＥＰ  １  １７３  ０３７  Ａ２
【発明の開示】
【発明が解決しようとする課題】
【０００７】
したがって、一方では電子デバイスの位置を判定するデータを供給し、他方で電子デバイスの地理的位置を判定する信頼性のある方法ならびに適当な電子デバイス、サーバ・コンピュータ、およびめいめいのコンピュータ・プログラムを有することが有利である。
【課題を解決するための手段】
【０００８】
本発明の一態様によれば、ラジオ受信器、リモート・デバイスにデータを送信するインターフェース、およびラジオ受信器に周波数の範囲をスキャンさせる制御ユニットを有する電子デバイスが提供される。制御ユニットは、スキャンされた周波数内の地理的に束縛された送信システムの特性を識別し、電子デバイスの地理的位置を判定し、特性またはその派生物とのインターフェースを提供するように設計される。
【０００９】
電子デバイスの位置で受信できる地理的に束縛された送信システムの識別が、その位置の判定に使用される。本発明によれば、位置によって、広い区域（州、国、大陸）を識別でき、あるいは、たとえば５０ｍ以内の精度で、正確な地理的位置を識別することもできる。しかし、本発明による位置検出の分解能は、通常は、個々の州または国に制限される。国内の別個の位置、都市の位置、あるいは都市行政区またはブロック位置などのより高い分解能は、地理的に束縛された送信システムの存在がそのような分解能を許容する時に、必ず含まれ、認識される。
【００１０】
地理的に束縛された送信システムは、放送ラジオ局としてあるいはデータ通信システムまたは音声通信システムとして実施されることが好ましい。これらの地理的に束縛された送信システム（地上送信器に基づくことが好ましい）は、ある地理的区域をカバーする。ローカルラジオ局またはローカルＴＶ局は、小さい区域だけをカバーするが、地域または州単位で動作するオーディオ局またはＴＶ局は、より広い区域をカバーし、他の局は、国単位で動作する。国単位で動作するオーディオ放送局またはＴＶ放送局が識別される場合であっても、国サイズより小さい位置区域を判定することができる。というのは、これらの局のほとんどが、国内の異なる区域で異なる周波数で動作するからである。必要な位置精度に応じて、単一の地理的に束縛されたシステムの特性の識別が、たとえば国ネットワークを提示する全世界で排他的に占有される周波数に起因して、電子デバイスが位置する国を判定するのに十分である場合がある。通常、複数の地理的に束縛されたシステムの、周波数の範囲にまたがる特性の識別によって、高い分解能の位置判定が可能になる。というのは、地理的に束縛されたシステムによって占有される周波数の特定のパターンが、ある制約された地理的区域について一意であるからである。地理的に束縛されたシステムのスキャンされ、識別される周波数が増えると、より信頼性があり正確に位置を解決できるようになる。
【００１１】
本発明のデバイスの一部であるラジオ受信器に、少なくとも同調回路が含まれ、この同調回路を、複数の周波数に同調することができる。ラジオ受信器に関する本発明の焦点が、占有される周波数のパターンを得ることなので、受信器は、必ずしも復調手段を有する必要がない。ラジオ受信器は、周波数の範囲をスキャンできるようにされる。ラジオ受信器は、１０ｋＨｚから１００ＧＨｚなどの広いラジオ周波数スペクトルで周波数をスキャンできることが好ましいが、これは、本発明の必要条件ではない。非常に狭い範囲の周波数だけをスキャンする能力は、この範囲が本発明による電子デバイスの位置の判定に十分な情報を供給する時に、必ず十分である。
【００１２】
制御ユニットは、ラジオ受信器を制御しており、ラジオ受信器から送達されるものの評価またはエンコードあるいはその両方を行っている。したがって、制御ユニットに、めいめいのソフトウェア・プログラムを有するマイクロコンピュータを含めることができ、ハードウェア・ロジックを含めることができ、部分的にハードウェア、部分的にソフトウェアとして実施することができ、あるいは、他の形で実施することができる。一般に、用語制御ユニットは、物理ユニットではなく機能として理解される。
【００１３】
ラジオ受信器によってスキャンされる周波数の範囲は、変更することができ、ラジオ受信器は、基本的に、その環境で使用される周波数を受信するように設計され、制御される。これは、広い範囲の周波数にまたがって周波数スペクトルをスキャンすることによって、または特定の周知の周波数で信号を記録することによって、達成することができる。本発明による周波数の範囲のスキャンは、単一の１つの決定された周波数のスキャンも含み、この周波数は、位置検出に関する十分な情報を送達することができる。ラジオ受信器は、さらに、それが受信できるあるラジオ周波数である信号パターンを実際に検出できるものとすることができるが、やはり、これは、本発明の必要条件ではない。これらの方法の組合せを順次適用して、必要なだけ情報を得ることができる。
【００１４】
制御ユニットは、ラジオ受信器から、供給される周波数パターン内で関連するデータを識別する。制御ユニットは、位置判定のために、スキャンされた周波数内の１つまたは複数の地理的に束縛された送信システムの特性を識別する。スキャンされた周波数内に送信システムによって占有される単一の周波数がないという結論も、用語特性に含まれ、この結論は、デバイスの位置を検出することに関する、使用中の周波数に含まれる周波数範囲と同じ量の情報を提供することができる。特性を、スペクトラム・フィンガープリント（spectrum fingerprint）とも称する。そのような特性に、上で述べた理由から、ある周波数での信号の存在または不在の情報が含まれることが好ましい。もう１つの好ましい実施形態では、特性に、周波数の範囲がスキャンされる場合に、占有される（または存在する）周波数の分布が含まれる。この実施形態は、デバイスの位置の正確な判定をサポートする。
【００１５】
さらなる有利な実施形態では、特性に、占有される周波数に関連する振幅データが含まれる。この実施形態の振幅データは、存在／不在分類のために検討されるだけではなく、振幅データを非常に正確な位置解決を得るのに使用することができるので、デバイスの位置の判定により重要となる可能性がある。通常、送信されたラジオ周波数信号の振幅は、ある到達範囲を有し、送信器からの距離が増えるにつれて減少する。したがって、ある周波数に関する信号振幅の識別は、デバイスの位置のさらに正確な判定をサポートする。
【００１６】
好ましい実施形態では、特性に、占められる周波数に付加された識別コードが含まれる。ＩＤコードは、ネットワーク識別子として実施することができる。これらのＩＤコードを用いると、周波数の識別と別にまたはそれに加えて、地理的に束縛された送信システムのすばやい判定が可能になる。したがって、１つまたは複数の周波数の信号を、好ましくはラジオ受信器に囲まれた、適当なデコード手段または復調手段によってデコードしなければならない。
【００１７】
特性自体またはその派生物（たとえばある位置区域の特性を表す区域コードなどの特性の評価の結果を含む）が、デバイスのインターフェースを介して、送信されるか、まずエンコードされた後に送信される。インターフェースは、無線または結線のプロパティを有し、このインターフェースに、２つの電子デバイスの間でのデータ交換用のプロトコルが含まれる。送信されるデータが、たとえば署名方法または暗号化方法を使用して、電子デバイスとリモート・デバイスの間での移動中の修正に対して適当な形で保護されることが好ましい。
【００１８】
本発明の主要な長所は、ラジオ受信器が必要であることのほかに、電子デバイスの位置を判定するさらなる機器がないことである。固定されたセット・アップまたは他の外部インフラストラクチャは、不要である。出費が少なく、位置判定は、たとえば数秒以内など、非常に速く達成される。
【００１９】
さらに、地理的に束縛された網のラジオ周波数が、屋内でも受信可能なので、電子デバイスの位置を、戸外の環境および屋内の環境で検出することができる。したがって、位置検出は、非常に信頼性があり、識別可能な特性の数に応じて、非常に正確である。
【００２０】
好ましい実施形態で、電子デバイスに、異なる地理的区域の地理的に束縛された送信システムの特性を含むデータベースが含まれる。この特徴によって、たとえば異なる国の周波数パターを表す、複数の保管された特性と識別された特性を比較する機会がもたらされる。制御ユニットに、識別された特性を保管された特性と突き合わせる突合せユニットが含まれることが好ましい。突合せユニットを、マッパーとも称する。デバイスの位置が、フィンガープリント自体またはフィンガープリントに含まれるデータから自明でない場合に、フィンガープリントが、記録されたフィンガープリントのデータベースと比較される。記録されたフィンガープリントごとに、突合せ処理が記録されることが好ましい。識別されたフィンガープリントと保管されたフィンガープリントの間の比較にクローゼスト・マッチ（closest match）アルゴリズムを適用して、ユーザの位置を検出することが有利である。
【００２１】
制御ユニットは、区域コードを供給できるようにされることが好ましく、区域コードは、識別された特性に対応する、保管された特性の１つを示す。この実施形態では、電子デバイスの位置の判定が、デバイス自体で処理され、したがって、デバイスの位置を表す識別された特性の派生物として区域コードを送信することが十分である。デバイスの処理能力が限られている場合には、特性自体を、インターフェースを介して送信することができる。
【００２２】
もう１つの好ましい実施形態では、電子デバイスが、ポータブルであり、たとえば無線電話機として、ＰＤＡとして、モバイル・コンピュータまたは他のポータブル・コンピューティング・デバイスとして実施される。電子デバイスが、ポータブル大量生産品である場合に、下記のハードウェア調整の１つが実行されることが好ましい。モデムまたはネットワーク・アクセス・カードが、ラジオ受信に適用される。これによって、ある地理的に制限されたネットワーク・インフラストラクチャおよび十分な高水準プロトコル層へのリンクが提供されて、近くのＧＳＭ網のネットワーク識別子などの固有のネットワーク情報要素の検出が可能になる。ラジオ受信器としてＧＳＭ網カードを動作させる制御ユニットによって識別された特性からのＧＳＭ国コードとの突合せ処理によって、電子デバイスが実際に位置するホスト国の判定がもたらされる。
【００２３】
もう１つの好ましい実施形態で、電子デバイスが、複数のそのようなネットワーク・アクセス機構をサポートすることができる。複数のそのようなアクセス機構が使用可能である場合に、各アクセス機構が、周波数の異なる範囲をスキャンし、異なる地理的に束縛されたネットワークを、これらの複数のラジオ受信器を用いて識別することができる。異なる地理的に束縛されたネットワークの特性の使用可能性によって、位置検出の信頼性が高まり、この使用可能性が、より正確な位置区域の検出につながる可能性がある。
【００２４】
本発明のもう１つの態様によれば、電子デバイスの周波数スキャニング・ラジオ受信器から地理的に束縛された送信システムの特性を受信する受信器と、異なる地理的区域の地理的に束縛された送信システムの特性を含むデータベースと、電子デバイスの地理的位置を判定するために受信した特性を保管された特性と突き合わせる突合せユニットとを含むサーバ・コンピュータが提供される。
【００２５】
サーバ・コンピュータは、電子デバイスが通信しているリモート・デバイスである。サーバ・コンピュータは、電子デバイスがアクセスできることを望む保管されたデータを含む固定されたコンピュータとすることができ、あるいは、実際のデータ・ストアと別々に実施することができ、後者のセットアップでは、しかし、データ・ストアとサーバ・コンピュータが同一の信頼されるドメイン内にある、すなわち、２つのコンピュータの間の通信システムおよびコンピュータ自体が耐タンパであることが望ましい。本発明によれば、サーバ・コンピュータは、保管された特性と電子ユニットから受信した特性の間の、上で述べた突合せ処理を実行している。この突合せ処理は、電子デバイスがデータベースを保管するのに限られた記憶手段を有する時に、必ず、サーバ・コンピュータから実行されることが好ましい。したがって、電子デバイスは、サーバ・コンピュータに、たとえば占有される周波数のパターンなど、識別された特性を供給する。最後に、サーバ・コンピュータは、判定ステップを処理しており、受信した特性からデバイスの位置を導出している。
【００２６】
もう１つの好ましい実施形態では、サーバ・コンピュータに、突合せ処理の仮の結果に応答して電子デバイスに応答を送信するように設計された制御ユニットが含まれ、要求が、電子デバイスのラジオ受信器をトリガして、周波数の追加の範囲をスキャンさせるようになっている。この特徴は、突合せ処理とスキャン処理の間の相互作用によって位置判定処理を洗練するのに有利である。たとえば、国位置を判定できるようになるに過ぎない粗い位置を、周波数の基本的範囲をスキャンする（たとえば、特定の周波数だけをスキャンし、特定の周波数の特定のモバイル通信システムを識別する）ことによって得ることができる。この位置を、追加の測定を行い、たとえば信号強度を識別することによって、洗練することができる。上で説明した分散クライアント／サーバ・システムでは、サーバ・コンピュータの制御ユニットが、特性の突合せを処理しており、したがって、さらなる周波数スキャン・ステップを要求するか、周波数の既に測定された範囲のさらなる特性を識別すると判断する。
【００２７】
この特徴は、突合せ処理が電子デバイスで実行される場合に、類似する形で、上で述べた電子デバイスに適用することができる。
【００２８】
好ましい実施形態で、サーバ・コンピュータに、判定された地理的位置に依存してサーバ・データへのアクセスを与えるアクセス許可ユニットが含まれる。この特徴は、位置判定処理の結果の使用を扱う。なんらかの理由で（電子デバイスが送信システムの範囲外にあるか、送信システムから遮蔽されているなど）位置情報を導出できない場合であっても、これがアクセス許可ユニットへの有用な入力である可能性があることが、この実施形態の特徴である。たとえば、アクセス許可ユニットは、追加の許可情報についてユーザに質問するか、アクセス権を拒否することができる。したがって、サーバ・コンピュータは、電子デバイスから要求されたデータへのアクセスを与えるか、拒否する。たとえば、データへのアクセスを、国境の外から接続を試み、したがって銀行の母国の国境内からのみ顧客データへのアクセスを許可する銀行法に違反する、在宅勤務銀行員に、拒否することができる。あるいは、著作権付きの材料の配布がある地理的区域に制限される（すなわち、ある区域でのみ配布できるあるテレビジョン放送または映画）場合に、ユーザに、その材料へのアクセスを拒否することができる。
【００２９】
もう１つの実施形態で、サーバ・コンピュータに、判定された地理的位置に依存してデータを選択または計算する選択ユニットが含まれることが好ましい。位置固有の形でクライアントにサーバ・データを送信する、すなわち、データが、そのクライアントの位置に強く結び付けられる、アプリケーションが、現在一般的である。その例が、ユーザとその電子デバイスが位置する特定の地域内の空港または駅から始まる航空機または列車の連絡である。これらのデータ・アイテムを、ユーザに電子デバイスに実際の位置を入力させずに、サーバ・コンピュータからユーザに送信することができる。位置情報は、さらに、ユーザの位置からある距離以内にあるレストラン、理容師、ショッピング施設などに関する情報を電子デバイスのユーザに与えるのに有利である。
【００３０】
基本的に、本発明は、データへのアクセスが、ユーザの識別だけではなく、ユーザの現在の地理的位置に依存するか、情報が特定の位置にパーソナライズされている、すべての応用例と共に使用することができる。
【００３１】
本発明のもう１つの態様によれば、電子デバイスの地理的位置を判定する方法であって、電子デバイスの周波数スキャニング・ラジオ受信器を使用して地理的に束縛された送信システムの特性を受信することと、受信された特性を異なる地理的区域の地理的に束縛された送信システムの保管された特性と突き合わせることと、突合せ処理の結果に依存して電子デバイスの地理的位置を判定することとを含む方法が請求される。
【００３２】
好ましい実施形態で、電子デバイスが、電子デバイスの地理的位置の判定を洗練するために、さらなる周波数スキャンを要求される。
【００３３】
本発明のもう１つの態様によれば、電子デバイスの位置を判定するデータを供給する方法であって、電子デバイスの位置でラジオ周波数の範囲をスキャンすることと、スキャンされた周波数内の地理的に束縛された送信システムの特性を識別することと、位置判定のために特性またはその派生物を供給することとを含む方法が請求される。
【００３４】
好ましい実施形態で、放送する局の特性が識別される。
【００３５】
もう１つの好ましい実施形態で、データ通信システムまたは音声通信システムの特性が識別される。
【００３６】
本発明のもう１つの態様によれば、電子デバイスの周波数スキャニング・ラジオ受信器を使用して地理的に束縛された送信システムの特性を受信することと、受信した特性を異なる地理的区域の地理的に束縛された送信システムの保管された特性と突き合わせることと、突合せ処理の結果に依存して電子デバイスの地理的位置を判定することとを含む方法を実行するためにディジタル処理ユニットによって実行可能である、コンピュータ・プログラムが提供される。
【００３７】
本発明のもう１つの態様によれば、ラジオ周波数の範囲をスキャンすることと、スキャンされた周波数内の地理的に束縛された送信システムの特性を識別することと、位置判定のために特性またはその派生物を供給することとを含む方法を実行するために電子デバイスのディジタル処理ユニットによって実行可能である、コンピュータ・プログラムが提供される。
【００３８】
上述の方法、コンピュータ・プログラム、およびその実施形態に関する長所は、上述の本発明のデバイスおよびめいめいの実施形態の長所に対応する。
【００３９】
本発明およびその実施形態は、添付図面と共に解釈される時に、本発明による現在好ましいが例示的な実施形態の以下の詳細説明を参照することによってより完全に諒解される。
【００４０】
異なる図に、類似するまたは均一な内容を有する要素を表す同一の符号が含まれる場合がある。
【発明を実施するための最良の形態】
【００４１】
図１に、本発明によるブロック図と流れ図の組合せを示す。この図は、基本的に、本発明による好ましい方法を示し、長方形によって表される装置要素を紹介する。図示された要素の電子デバイスまたはサーバ・コンピュータあるいはその両方への可能な配置は、図５および図６に関して説明する。
【００４２】
制御ユニット１２は、ラジオ受信器１１がスキャンしなければならない周波数の範囲を決定する。ラジオ受信器１１は、制御ユニット１２によって制御され、周波数パターンを制御ユニット１２に供給する。制御ユニット１２は、スキャンされた周波数内の地理的に束縛された送信システムの特性ＣＨ（周波数スペクトラム・フィンガープリントとも称する）を識別する。
【００４３】
突合せユニット５は、特性ＣＨを、データベース４に保管された異なる地理的区域の地理的に束縛された送信システムの保管された特性ＳＣＨ（ラジオ・フィンガープリントとも称する）と突き合わせる。
【００４４】
クローゼスト・マッチ・アルゴリズムを適用して、保管された特性ＳＣＨの単一の１つが、実際に受信された特性ＣＨと突き合わされる。これらの特定の保管された特性ＳＣＨは、ある区域の送信システム・イメージを表す。したがって、この特定の区域は、電子デバイスの位置を定義し、この電子デバイスに、ラジオ受信器１１が含まれる。結局、位置は、突合せ処理の結果として判定される。判定された位置ＬＤは、データ・システム内で、判定された位置ＬＤに依存してアクセスを許可または拒否するか、データを選択するのに使用することができる。
【００４５】
図２に、第１スキャン処理の結果としての第１周波数パターンを示す。ラジオ受信器は、９０ｋＨｚから１１０ｋＨｚまでの周波数の範囲をスキャンするように助言され、図２による周波数スキャニング応答を供給した。制御ユニット１２は、スキャンされた周波数に現れる地理的に束縛された網の特性を識別する。周波数ｆ１、ｆ２、およびｆ３が、ラジオ放送局から占有される。送信器のそれぞれの到達範囲は、異なり、したがって、特性ｆ１、ｆ２、およびｆ３は、ラジオ受信器の特定の位置を表し、したがって電子デバイスの特定の位置を表す。この位置に、この３つのすべての送信する網の信号が到達することができ、それぞれ信号振幅Ａ１、Ａ２、およびＡ３を有する。スキャンされた周波数内の位置関連データの識別および集合を、フィンガープリントまたは特性と呼ぶ。
【００４６】
８００ＭＨｚから２ＧＨｚまでのスキャンされる周波数のもう１つの範囲を、図３に示す。この範囲は、適当なラジオ受信器によって、制御ユニット１２の制御の下でスキャンされる。この範囲は、図２による第１周波数範囲がスキャンされた直後に、または位置の判定を洗練するために、図２から生じる特性を用いる第１位置接近が実行された後に、スキャンされる。
【００４７】
この周波数の第２範囲内の周波数ｆ４で、この周波数ｆ４で信号を復調し、たとえばあるスイスＧＳＭ網として、ＧＳＭ網を識別するＧＳＭヘッダを検出することによって、ＧＳＭ通信網が識別される。この特性を用いると、デバイスの位置のさらに正確な判定が可能になる。
【００４８】
周波数のこの２つの範囲内で識別された特性ＣＨが、収集され、図４に示されており、第１範囲内の占有された周波数の周波数および振幅が識別され、第２範囲内の占有された周波数の周波数およびＧＳＭヘッダが識別される。これらの特性は、有意性に直接に起因して位置判定につながらない場合に、さらなる突合せ処理のために供給される。
【００４９】
図５に、本発明による第１ブロック図を示す。その位置が特に重要である電子デバイス１に、ラジオ受信器１１、制御ユニット１２、インターフェース１３、データベース４、および突合せユニット５が含まれる。電子デバイス１は、リモート・サーバ・コンピュータ２に接続され、リモート・サーバ・コンピュータ２には、受信器２２、制御ユニット２１、および許可ユニット２３が含まれる。
【００５０】
電子デバイス１の位置を判定する形は、図１に従う。デバイスの制御ユニット１２が、ラジオ受信器１１に周波数の範囲をスキャンさせる。この範囲内に、制御ユニット１２によって、地理的に束縛された送信システム３を検出でき、その特性を表すパラメータが識別される。これらの特性ＣＨは、突合せユニット５によって、図１に従って保管された特性ＳＣＨと突き合わされる。たとえば位置判定自体などの結果が、派生特性ＤＣＨとして、サーバ・コンピュータ２の受信器２２に送信される。位置判定ＬＤは、許可ユニット２３に入力され、許可ユニット２３は、判定された位置ＬＤに依存して、要求されたデータへのアクセスを制御する。
【００５１】
図６によるブロック図に、本発明のもう１つの例が示されているが、この図では、図５のシステムと異なって、突合せユニット５およびデータベース４が、サーバ・コンピュータ２内に配置されている。付き合わせ処理および位置判定処理は、サーバ・コンピュータ２で実行され、電子ユニット１は、識別された特性をサーバ受信器２２に送信する。許可ユニット２３の代わりに、選択ユニット２４が、判定された位置ＬＤに依存してデータを選択するためにサーバ・コンピュータ２内に設けられる。
【図面の簡単な説明】
【００５２】
【図１】本発明によるブロック図と流れ図の組合せを示す図である。
【図２】本発明による第１スキャン処理の結果としての第１周波数パターンを示す図である。
【図３】本発明による第２スキャン処理の結果としての第２周波数パターンを示す図である。
【図４】本発明による記号的特性を示す図である。
【図５】本発明による第１ブロック図を示す図である。
【図６】本発明による第２ブロック図を示す図である。
【符号の説明】
【００５３】
１  電子デバイス
２  リモート・サーバ・コンピュータ
３  地理的に束縛された送信システム
４  データベース
５  突合せユニット
１１  ラジオ受信器
１２  制御ユニット
１３  インターフェース
２１  制御ユニット
２２  受信器
２３  許可ユニット
２４  選択ユニット
【図１】
2005535159.tif 000003
【図２】
2005535159.tif 000004
【図３】
2005535159.tif 000005
【図４】
2005535159.tif 000006
【図５】
2005535159.tif 000007
【図６】
2005535159.tif 000008
【手続補正書】
【提出日】平成16年11月8日(2004.11.8)
【手続補正１】
【補正対象書類名】特許請求の範囲
【補正対象項目名】全文
【補正方法】変更
【補正の内容】
【特許請求の範囲】
【請求項１】
電子デバイスであって、
ラジオ受信器（１１）と、
データをリモート・デバイスに送信するインターフェース（１３）と、
前記ラジオ受信器（１１）に周波数の範囲をスキャンさせる制御ユニット（１２）と
を含み、前記制御ユニット（１２）が、
前記電子デバイス（１）の地理的位置を判定するために、前記スキャンされる周波数内で地理的に束縛された送信システム（３）の特性（ＣＨ）を判定し、
前記インターフェース（１３）に前記特性（ＣＨ）またはその派生物（ＤＣＨ）を供給し、
サーバ・コンピュータ（２）にデータへのアクセスを要求する
ように設計される、電子デバイス。
【請求項２】
前記地理的に束縛された送信システム（３）が、放送する局を含む、請求項１に記載の電子デバイス。
【請求項３】
前記地理的に束縛された送信システム（３）が、データ通信システムまたは音声通信システムを含む、請求項１または２に記載の電子デバイス。
【請求項４】
前記特性（ＣＨ）が、占有される周波数の分布を含む、請求項１ないし３のいずれか一項に記載の電子デバイス。
【請求項５】
前記特性（ＣＨ）が、占有される周波数に関連する振幅データを含む、請求項１ないし４のいずれか一項に記載の電子デバイス。
【請求項６】
前記特性（ＣＨ）が、占有される周波数に付加された識別コードを含む、請求項１ないしの５いずれか一項に記載の電子デバイス。
【請求項７】
異なる地理的区域の地理的に束縛された送信システムの特性（ＳＣＨ）を含むデータベース（４）を含む、請求項１ないし６のいずれか一項に記載の電子デバイス。
【請求項８】
前記制御ユニット（１２）が、前記識別された特性（ＣＨ）を保管された特性（ＳＣＨ）と突き合わせる突合せユニット（５）を含む、請求項７に記載の電子デバイス。
【請求項９】
前記制御ユニット（１２）が、区域コードを供給することを可能にされ、前記区域コードが、前記識別された特性（ＣＨ）に対応する前記保管された特性（ＳＣＨ）の１つを示す、請求項８に記載の電子デバイス。
【請求項１０】
ポータブル・デバイスである、請求項１ないし９のいずれか一項に記載の電子デバイス。
【請求項１１】
電子デバイス（１）の周波数スキャニング・ラジオ受信器（１１）から地理的に束縛された送信システム（３）の特性（ＣＨ）を受信する受信器（２２）と、
異なる地理的区域の地理的に束縛された送信システムの特性（ＳＣＨ）を含むデータベース（４）と、
前記電子デバイスの地理的位置を判定するために前記受信された特性（ＣＨ）を保管された特性（ＳＣＨ）と突き合わせる突合せユニット（５）と、
前記判定された地理的位置（ＬＤ）に依存する要求されたサーバ・データへのアクセスを与えるアクセス許可ユニット（２３）と
を含む、サーバ・コンピュータ。
【請求項１２】
前記突合せ処理の結果に依存して前記電子デバイスに要求を送信することを可能にされた制御ユニット（２１）を含み、前記要求が、前記電子デバイスのラジオ受信器（１１）に追加範囲の周波数をスキャンさせる、請求項１１に記載のサーバ・コンピュータ。
【請求項１３】
前記判定された地理的位置（ＬＤ）に依存してデータを選択または計算するための選択ユニット（２４）を含む、請求項１１または１２に記載のサーバ・コンピュータ。
【請求項１４】
電子デバイス（１）の周波数スキャニング・ラジオ受信器（１１）を使用して、地理的に束縛された送信システム（３）の特性（ＣＨ）を受信することと、
前記受信された特性（ＣＨ）を異なる地理的区域の地理的に束縛された送信システムの保管された特性（ＳＣＨ）と突き合わせることと、
前記突合せ処理の結果に依存して前記電子デバイス（１）の地理的位置（ＬＤ）を判定することと、
前記判定された地理的位置（ＬＤ）に依存する要求されたサーバ・データへのアクセスを与えることと
を含む、電子デバイスの地理的位置を判定する方法。
【請求項１５】
前記電子デバイス（１）が、前記電子デバイスの地理的位置の判定を洗練するために、さらなる周波数スキャンを要求される、請求項１４に記載の方法。
【請求項１６】
電子デバイスの位置を判定するデータを供給する方法であって、
前記電子デバイスの位置でラジオ周波数の範囲をスキャンすることと、
前記スキャンされる周波数内で地理的に束縛された送信システム（３）の特性（ＣＨ）を識別することと、
位置判定のために前記特性（ＣＨ）またはその派生物（ＤＣＨ）をサーバ・コンピュータ（２）に供給することと、
データへのアクセスをサーバ・コンピュータ（２）に要求することと
を含む方法。
【請求項１７】
放送する局の特性（ＣＨ）が識別される、請求項１６に記載の方法。
【請求項１８】
データ通信システムまたは音声通信システムの特性（ＣＨ）が識別される、請求項１６に記載の方法。
【請求項１９】
コンピュータに、
電子デバイス（１）の周波数スキャニング・ラジオ受信器（１１）を使用して、地理的に束縛された送信システム（３）の特性（ＣＨ）を受信する機能と、
前記受信された特性（ＣＨ）を異なる地理的区域の地理的に束縛された送信システム（３）の保管された特性（ＳＣＨ）と突き合わせる機能と、
前記突合せ処理の結果に依存して前記電子デバイスの地理的位置（ＬＤ）を判定する機能と、
前記判定された地理的位置（ＬＤ）に依存する要求されたサーバ・データへのアクセスを与える機能と
を実現させるコンピュータ・プログラム。
【請求項２０】
コンピュータに、
ラジオ周波数の範囲をスキャンする機能と、
前記スキャンされた周波数内で地理的に束縛された送信システム（３）の特性（ＣＨ）を識別する機能と、
位置判定のために前記特性（ＣＨ）またはその派生物（ＤＣＨ）を供給する機能と、
データへのアクセスをサーバ・コンピュータ（２）に要求する機能と
を実現させるコンピュータ・プログラム。
【国際調査報告】
2005535159.tif 000009
2005535159.tif 000010